(57)【要約】【課題】鉄筋コンクリートなどの床スラブに仮設する資材や道具などの移動に利用する開口部を簡便で廉価に形成できるスラブ仮設開口用型枠具及び開口の形成、閉塞方法を提供する。【解決手段】下方枠体部２と該下方枠体部２に離脱可能に連結されている上方枠体部３とからなる型枠具１を床スラブ形成用の床型枠上の所定個所に開口補強筋部６と共に配置し、床スラブ形成のコンクリート打設と同時に前記下方枠体部２内のみに打設し、該打設したコンクリートの硬化後前記上方枠体部３を分解して取り外してから前記下方枠体部２を硬化後の床スラブ部分から上方に取り外して、該床スラブに上方が拡開した長方形の仮設開口部を開口形成した。【選択図】　　　　図１
2004108083.tif 000002
【特許請求の範囲】
【請求項１】
下方枠体部と、下方部が該下方枠体部の外方に位置し該下方枠体部に離脱可能に連結されている上方枠体部とからなるスラブ仮設開口用型枠具。
【請求項２】
前記下方枠体部と前記上方枠体部は上方に向って拡開状に形成されている請求項１に記載のスラブ仮設開口用型枠具。
【請求項３】
前記下方枠体部は中間で分割した２つの半枠体部よりなると共に、各半枠体部内側に補強配筋した請求項１又は請求項２に記載のスラブ仮設開口用型枠具。
【請求項４】
前記下方枠体部に複数のねじ孔部と前記上方枠体部に対応する複数の挿通筒部とを設け、別部材のボルト状の連結金具を該挿通筒部に挿通すると共に該ねじ孔部に該連結金具の先端のねじ部を螺合し、該下方枠体部と上方枠体部とを離脱可能に連結した請求項１乃至請求項３のいずれか１に記載のスラブ仮設開口用型枠具。
【請求項５】
前記上方枠体部は、各々２枚の逆台形状の長辺板と短辺板とからなり、該長辺板の両端部と中間部及び該短辺板の両端部とに前記挿通筒部を設けると共に、該両辺板の下方端内方に沿って各々補強筋を固着した請求項４に記載のスラブ仮設開口用型枠具。
【請求項６】
下方枠体部と、下方部が該下方枠体部の外方に位置し該下方枠体部に離脱可能に連結されている上方枠体部とからなる型枠具を床スラブ形成用の床型枠上の所定個所に開口補強筋部と共に配置し、床スラブ形成のコンクリート打設と同時に前記下方枠体部内のみに打設し、該打設したコンクリートの硬化後前記上方枠体部を分解して取り外してから前記下方枠体部をコンクリートの硬化後の床スラブ部分から上方に取り外して、該床スラブに上方が拡開した長方形の仮設開口部を開口形成するスラブ仮設開口の形成、閉塞方法。
【請求項７】
前記開口補強筋部を前記型枠具から吊り金具を介して支持した請求項６に記載のスラブ仮設開口の形成、閉塞方法。
【請求項８】
前記開口形成された仮設開口部を作業などに使用しない時には、前記内部にコンクリートを打設して取り外した下方枠体部を該仮設開口部に戻し、該下方枠体部により該仮設開口部を閉塞する請求項６又は請求項７に記載のスラブ仮設開口の形成、閉塞方法。
【請求項９】
前記仮設開口部を使用する作業が不要となった時に、該仮設開口部を前記下方枠体部により閉塞し、閉塞した該下方枠体部を底型枠として転用し、その上方の凹部分にコンクリートを打設して該仮設開口部を全面封止し、一体のスラブ床面に形成する請求項６乃至請求項８にのいずれか１に記載のスラブ仮設開口の形成、閉塞方法。
【請求項１０】
前記開口補強筋部は前記仮設開口部の周辺を補強するための長方形筋部と４つの隅角部分を各々斜め方向に補強するための二重の斜め筋部とからなると共に、該長方形筋部と４つの斜め筋部とを一筆書き状に一本の鉄筋で形成した請求項６又は請求項７に記載のスラブ仮設開口の形成、閉塞方法。
【請求項１１】
前記下方枠体部と上方枠体部の各高さ寸法の合計高さを前記床スラブの床厚寸法とし、該下方枠体部の高さ寸法は一定高さに固定すると共に、該上方枠体部の高さ寸法は該床スラブの所定複数の床厚寸法に対応して複数種類設定した請求項６に記載のスラブ仮設開口の形成、閉塞方法。
【発明の詳細な説明】
【０００１】
【発明の属する技術分野】
本発明は、鉄筋コンクリートなどの床スラブに仮設する開口部を簡便で廉価に形成できるスラブ仮設開口用型枠具及びスラブ仮設開口の形成、閉塞方法に関する。
【０００２】
【従来の技術】
従来から鉄筋コンクリートなどの床スラブに下階の資材、型枠支持パイプや道具などを上階に移動するなどに利用するために仮設の開口部を設けており、該開口部を形成するために木材などで開口型枠を製作してスラブ用床枠上に配置し、その開口型枠周辺を補強筋で補強してからスラブ用床枠上にコンクリートを打設して開口部を形成し、開口した仮設の開口部を移動作業などに使用しない時には落下防止のために鉄板などで作った安全蓋で閉塞し、工事が進んでその仮設の開口部が不用となったら開口型枠を取り外してから内側に補強配筋し、開口下方に底型枠を当接してパイプで下階から支持し、その上方の凹部分にコンクリートを打設し、コンクリートが硬化したら前記底型枠を取り外して仮設開口を封止するようにしていた。
【０００３】
【発明が解決しようとする課題】
この様に最終的には埋めてしまう仮設のための開口部であっても多くの工程と労力が掛かると共に、取り外した開口型枠や底型枠は廃材となって資源が無駄となる問題点があった。
【０００４】
本発明はこれらの問題点を解消し、労力と資源の無駄を除去して、仮設の開口部を簡便で廉価に形成することができるスラブ仮設開口用型枠具及びスラブ仮設開口の形成、閉塞方法を提供することを目的とする。
【０００５】
【課題を解決するための手段】
本発明は上記の目的を達成すべく、スラブ仮設開口用型枠具として、下方枠体部と、下方部が該下方枠体部の外方に位置し該下方枠体部に離脱可能に連結されている上方枠体部とからなり、又、スラブ仮設開口の形成、閉塞方法として、下方枠体部と、下方部が該下方枠体部の外方に位置し該下方枠体部に離脱可能に連結されている上方枠体部とからなる型枠具を床スラブ形成用の床型枠上の所定個所に開口補強筋部と共に配置し、床スラブ形成のコンクリート打設と同時に前記下方枠体部内のみに打設し、該打設したコンクリートの硬化後前記上方枠体部を分解して取り外してから前記下方枠体部をコンクリートの硬化後の床スラブ部分から上方に取り外して、該床スラブに上方が拡開した長方形の仮設開口部を開口形成するようにした。
【０００６】
【発明の実施の形態】
本発明の第１の実施の形態を図１乃至図７により説明する。
【０００７】
図１において、１は本発明の第１の実施の形態であるスラブ仮設開口用の型枠具を示し、該型枠具１は下方枠体部２に上方枠体部３が２段重ね構造にボルト状の連結金具５により離脱可能に連結している。
【０００８】
該下方枠体部２は中間で分割した２つの独立した鉄板製の半枠体部４、４で構成され、背中合せの背面部４ｃ、４ｃのみが垂直で他の３面は上方が拡開状に形成された略４角形枠体であり、該半枠体部４はその内側の先端隅部に２つ、背面部４ｃ寄りの左右に各１つの合計各々４つのねじ孔部４ａが溶接されると共に、その内側のほぼ中間高さに数本の短い鉄筋を組み合せた補強筋４ｂが設けられている。
【０００９】
又、前記上方枠体部３は組立分解可能に形成され、図３に示す如く、各々２枚の逆台形の長辺板３ａと同じく逆台形の短辺板３ｂとの４枚の対向する長短辺板からなる。
【００１０】
該長辺板３ａの両端部の上方位置にボルト状の前記連結金具５を挿通するための挿通筒３ｃが又該長辺板３ａの中間の上方位置に同様に連結金具５を挿通するための挿通筒３ｄ、３ｄが設けられ、更に該長辺板３ａの下方端内方に沿って補強筋３ｆが設けられている。
【００１１】
又、前記短辺板３ｂの両端部に前記挿通筒３ｃの下方位置に挿通筒３ｅが設けられ、該短辺板３ｂの下方端内方に沿って補強筋３ｇが設けられている。
【００１２】
尚、前記補強筋３ｆ、３ｇは後述の半枠体部４、４へのコンクリート打設時における見切線の機能も有し、又、該補強筋３ｆだけで長辺板３ａが曲がる場合は対向する長辺板３ａ間に図４に示す着脱可能な補助部材３ｈを設けてもよい。
【００１３】
前記型枠具１を型枠として組み立てるには、先ず、下方枠体部２である半枠体部４、４の背面部４ｃ、４ｃを当接し、次に、上方枠体部３の長辺板３ａの下方端の補強筋３ｆを図４に示す如く、前記半枠体部４の上端に当接させて該長辺板３ａを半枠体部４の外方に位置するようにし、先端部にねじ部を有するボルト状の前記連結金具５を挿通筒３ｄに挿通後ねじ孔部４ａにねじ止めして、２つの半枠体部４と対向する２枚の長辺板３ａを連結する。
【００１４】
その後対向する両長辺板３ａの両端部間に短辺板３ｂを挿入して図５に示す如く、連結金具５を長辺板３ａの挿通筒３ｃに挿通後、短辺板３ｂの挿通筒３ｅに挿通してから半枠体部４のねじ部４ａにねじ止めして、図１の如く下方枠体部２と上方枠体部３とが連結され、本発明の第１の実施の形態の型枠具１となる。
【００１５】
尚、図２は該型枠具１を用いて後述の方法により床スラブＢに形成される上方が拡開した長方形の仮設開口部Ａを示し、又図５に図示されている７は後述の吊り金具である。
【００１６】
次に開口補強筋部６を図６及び図７により説明する。
【００１７】
開口補強筋部６は前記図２に示した床スラブＢに仮設する開口部Ａの開口周辺を補強背筋するためのものであり、前記型枠具１から吊り金具７を介して支持される。
【００１８】
該吊り金具７は図５の如く一本の線材を二重に巻いた輪部とフック状の両端部とからなり、前記図５に示す如く前述の長辺板３ａと短辺板３ｂとを連結する時に、前記連結金具５によって挿通筒３ｃの上部に同時に締結される。
【００１９】
前記補強筋部６は、図７に示す如く、仮設開口部Ａの周辺を補強する長方形筋部６ａと開口の４個所の隅角部分を各々斜め方向に補強する２重になった斜め筋部６ｂとからなり、これらの筋部６ａ、６ｂとを一筆書き状に一本の鉄筋で形成し、鉄筋部分が交差する個所は溶接して固定強化している
【００２０】
次に本発明の第１の実施の形態を用いて、前記図２に示す鉄筋コンクリートなどの床スラブＢに仮設する開口部Ａの開口及び閉蓋、封止の閉塞方法について図８乃至図１３により説明する。
【００２１】
先ず、図８及び前記図６に示す如く前記型枠具１を、該型枠具１に吊り金具７を介して支持された開口補強筋部６と共にスラブ用床枠Ｃ上の所定個所に釘などで固定して設置する。
【００２２】
その後、型枠具１の上端高さ迄コンクリートを打設し、同時に該型枠具１の下方枠体部２である半枠体部４、４内にのみコンクリートを打設する。
【００２３】
そして、これらのコンクリートが硬化したら図９の如く前記スラブ用床枠Ｃを撤去して床スラブＢが形成され、次に、８本の連結金具５を抜いて、上方枠体部３の長辺板３ａと短辺板３ｂとに分解して上方に取り外す。尚、前記連結金具５は逆三角又は丸形の頭部と下端にねじ部を有するボルト状をなし、一本の丸棒から一筆書き状に形成されている。
【００２４】
前記取り外した８本の連結金具５を図１０の如く再び半枠体部４、４のねじ孔部４ａにねじ止めして、硬化している床スラブＢから連結金具５を持って該半枠体部４、４を一個づつ上方に引き離すと図１１及び前記図２に示す仮設の開口部Ａが床スラブＢに形成されて資材などを下階から上階に移動可能となる。
【００２５】
又、開口部Ａを資材などの移動に使用しない間は、該開口部Ａから落下などの事故を防止するために前記図１０において上方に引き離した下方枠体部２である半枠体部４、４を再び開口部Ａに戻し、図１２の如く安全蓋として該開口部Ａを閉塞する。
【００２６】
尚、下方枠体部２は２個の半枠体部４、４にせず一体のままでもよいが、この様に安全蓋として度々使用する時には軽い方が操作が容易となるので、コンクリートが内側に打設してあっても例えば１つが３０キログラム程度以下となるように分割した。
【００２７】
その後工事が進行して、前記階の床スラブＢに設けた開口部Ａを作業に利用しなくなった時には、前記図１２の如く該開口部Ａに半枠体部４、４を戻して、今度は安全蓋でなく該開口部Ａの底型枠として転用し、８本の連結金具５を外してから、図１３の如く上方の凹部分にコンクリートを打設し、硬化すると一面一体の床スラブＢ、Ｂ´となって仮設の開口部Ａが封止される。
【００２８】
尚、底型枠となった半枠体部４、４は、その内側に補強配筋されていることにより、封止した床スラブＢ´は充分な強度を有することができる。
【００２９】
この様に、安全蓋及び底型枠に転用可能な下方枠体部２と組立分解可能な上方枠体部３との二段重ね構造の型枠具１により、床スラブＢに仮設する開口部Ａを開口し、閉蓋し、最終的に封止する一連工程を簡便で廉価に行うことができる。
【００３０】
又、組立分解可能な上方枠体部３と連結金具５は資材を無駄にせず何度も再利用することができる。
【００３１】
次に、本発明の第２の実施の形態を図１４により説明する。
【００３２】
床スラブは仕様強度により所定複数の床厚となるので、本発明の第２の実施の形態はその異なる床厚の床スラブに対応して仮設の開口部を形成できることが特徴である。
【００３３】
図１４に示す如く、型枠具１を構成する下方枠体部２の高さ寸法Ｈ１と上方枠体部３の高さ寸法Ｈ２との合計高さＨが床スラブＢの床厚寸法となる。
【００３４】
該床スラブＢの床厚寸法Ｈは一定厚でなく、仕様強度により所定複数の床厚となり、例えば、床厚寸法Ｈを１５０ミリメートルとすると下方枠体部２の高さ寸法Ｈ１を半分の７５ミリメートルとして固定し、上方枠体部３の高さ寸法Ｈ２も７５ミリメートルとする。
【００３５】
該床スラブの床厚Ｈを２００ミリメートルとすると、上方枠体部３の高さ寸法Ｈ２は１２５ミリメートルとし、該床スラブの床厚Ｈを２５０ミリメートルとすると、上方枠体部３の高さ寸法Ｈ２は１７５ミリメートルとして、この様に上方枠体部３の高さ寸法Ｈ２のみを所定複数の高さとなる床厚Ｈに対応して複数設定しておくことにより、異なる床厚の床スラブＢに対応する開口部Ａを形成することができる。
【００３６】
尚、連結金具５及び吊り金具７の長さも複数種類用意する。
【００３７】
【発明の効果】
このように本発明によると、蓋や底型枠に転用可能な下方枠体部と組立分解及び再利用可能な上方枠体部との二段重ね構造の型枠具により、床スラブに仮設する開口部を開口し、閉塞する一連工程を労力と資材の無駄を省いて簡便で廉価に形成できる効果を有する。
【図面の簡単な説明】
【図１】本発明の第１の実施の形態の型枠具の斜視図である。
【図２】該型枠具により形成される開口部の斜視図である。
【図３】該型枠具の分解状態を示す斜視図である。
【図４】該型枠具の断面図である。
【図５】該型枠具の隅部分の組立状態を示す説明図である。
【図６】該型枠具の設置状態を示す斜視図である。
【図７】開口補強筋部の平面図である。
【図８】型枠具設置の説明図である。
【図９】床スラブ形成の説明図である。
【図１０】開口形成の説明図である。
【図１１】開口形成の説明図である。
【図１２】閉蓋の説明図である。
【図１３】封止の説明図である。
【図１４】本発明の第２の実施の形態の側面説明図である。
【符号の説明】
１　　型枠具
２　　下方枠体部
３　　上方枠体部
４　　半枠体部
５　　連結金具
６　　開口補強筋部
７　　吊り金具
【図１】
2004108083.tif 000003
【図２】
2004108083.tif 000004
【図３】
2004108083.tif 000005
【図４】
2004108083.tif 000006
【図５】
2004108083.tif 000007
【図６】
2004108083.tif 000008
【図７】
2004108083.tif 000009
【図８】
2004108083.tif 000010
【図９】
2004108083.tif 000011
【図１０】
2004108083.tif 000012
【図１１】
2004108083.tif 000013
【図１２】
2004108083.tif 000014
【図１３】
2004108083.tif 000015
【図１４】
2004108083.tif 000016